(57)【要約】【課題】  大型倉庫や建築現場の仮囲い等として使用されるテントハウスを構成するテントフレームに於て、強風等の大きな外力が作用しても、転倒する危険性がない様にする。【解決手段】  前後方向に所定間隔を置いて配列された適数の主骨体２と、主骨体２の下部に高さ調整可能に設けられた座体３と、座体３の下部に設けられて接地面Ａに接地される所定の重量を備えた錘体４と、錘体４と主骨体２の上部とを連結する索条５とで構成する。座体３は、錘体４に挾持手段２３に依り着脱可能に取付けられていても良い。錘体４は、適数の山留材１８に依り形成されていても良い。【選択図】        図１
2009150082.tif 000002
【特許請求の範囲】
【請求項１】
前後方向に所定間隔を置いて配列された適数の主骨体と、主骨体の下部に高さ調整可能に設けられた座体と、座体の下部に設けられて接地面に接地される所定の重量を備えた錘体と、錘体と主骨体の上部とを連結する索条と、から構成した事を特徴とするテントフレーム。
【請求項２】
座体は、錘体に挾持手段に依り着脱可能に取付けられている請求項１に記載のテントフレーム。
【請求項３】
錘体は、適数の山留材に依り形成されている請求項１に記載のテントフレーム。
【発明の詳細な説明】
【技術分野】
【０００１】
本発明は、例えば大型倉庫や建築現場の仮囲い等として用いられるテントハウスを構成するテントフレームの改良に関する。
【背景技術】
【０００２】
従来、この種のテントフレームとしては、例えば特許文献１に記載されたものや特許文献２に記載されたものが知られている。
前者のものは、基本的には、前後方向に所定間隔を置いて配列された適数の主骨体と、主骨体の下部に高さ調整可能に設けられて接地面に接地される座体と、から構成されている。
後者のものは、基本的には、前後方向に所定間隔を置いて配列された適数の主骨体と、主骨体の下部に高さ調整可能に設けられた座体と、座体の下部に設けられて接地面に接地される基台と、基台に対して主骨体を起立固定する為の緊張手段と、から構成されている。
【０００３】
【特許文献１】特許第３４５５９３６号公報
【特許文献１】特開２００６−１７７０１４号公報
【発明の開示】
【発明が解決しようとする課題】
【０００４】
ところが、前者のものは、その自重に依り接地面に鎮座され、必要に応じて座体がアンカに依り接地面に固定されるだけであったので、強風等の大きな外力が作用した場合には、転倒する危険性があった。
他方、後者のものは、基台を備えているので、これがウエイト（錘）としてある程度機能するものの、元々ウエイトとして機能させるべく設計されていなかったので、前者のものと同様に、強風等の大きな外力が作用した場合には、転倒する危険性があった。
【０００５】
本発明は、叙上の問題点に鑑み、これを解消する為に創案されたもので、その課題とする処は、強風等の大きな外力が作用しても、転倒する危険性がない様にしたテントフレームを提供するにある。
【課題を解決するための手段】
【０００６】
本発明のテントフレームは、基本的には、前後方向に所定間隔を置いて配列された適数の主骨体と、主骨体の下部に高さ調整可能に設けられた座体と、座体の下部に設けられて接地面に接地される所定の重量を備えた錘体と、錘体と主骨体の上部とを連結する索条と、から構成した事に特徴が存する。
【０００７】
錘体が接地面に接地されると共に、錘体の上に座体が設けられて座体の上に主骨体が樹立される。錘体と主骨体の上部が索条に依り連結される。
所定の重量を備えた錘体を設けると共に、これと主骨体の上部とを索条に依り連結したので、テントフレームに強風等の大きな外力が作用しても、これが転倒したり、横滑りしたりする事がない。
主骨体に対して座体を調整移動させると、接地面に対して主骨体の高さを調整する事ができる。
錘体が座体の下部に設けられていると共に、索条が錘体と主骨体の上部との間に設けられているので、これらが邪魔になる事がない。その結果、テントフレーム内を有効に活用する事ができる。
【０００８】
座体は、錘体に挾持手段に依り着脱可能に取付けられているのが好ましい。この様にすれば、座体と錘体の双方を取付けの為に加工したり傷を付けたりする事がないので、例えば錘体として山留材を利用した場合には、これをレンタルする事ができ、コストの低減を図る事ができる。
【０００９】
錘体は、適数の山留材に依り形成されているのが好ましい。この様にすれば、既存の山留材をそのまま利用する事ができ、コストの低減を図る事ができる。
【００１０】
索条は、張力を調整する張力調整手段を備えているのが好ましい。この様にすれば、索条の張力を容易に変更できるので、主骨体を迅速且つ適正に樹立させる事ができる。
【発明の効果】
【００１１】
本発明に依れば、次の様な優れた効果を奏する事ができる。
（１）  主骨体、座体、錘体、索条とで構成し、とりわけ接地面に接地される所定の重量を備えた錘体を座体の下部に設けると共に、錘体と主骨体の上部とを連結する索条を設けたので、強風等の大きな外力が作用しても、転倒する危険性がない。
（２）  錘体は、座体の下部に設けられていると共に、索条は、錘体と主骨体の上部との間に設けられているので、これらが邪魔になる事がない。その結果、テントフレーム内を有効に活用する事ができる。
【発明を実施するための最良の形態】
【００１２】
以下、本発明の実施の形態を、図面に基づいて説明する。
図１は、本発明のテントフレームを示す一部を省略した正面図。図２は、図１の要部を拡大した正面図。図３は、図２の横断平面図。図４は、挾持手段の挾持板を示す斜視図である。尚、以下の説明に於て、前後方向とは、テントフレームの奥行方向（図２に於て上下方向）を言い、左右方向とは、テントフレームの幅方向（図２に於て左右方向）を言う事にする。
【００１３】
テントフレーム１は、主骨体２、座体３、錘体４、索条５とからその主要部が構成されて居り、テントハウスに適用される。
テントハウスは、接地面Ａに設置されるテントフレーム１と、図略しているが、これの外側に張られるテントシート（膜体）とから構成されている。
接地面Ａは、コンクリートやアスファルト等で舗装されて比較的強硬で平滑にされている。
【００１４】
主骨体２は、前後方向に所定間隔を置いて配列された適数のもので、この例では、直立した支柱６と、これの上部に着脱可能に連結されてこれから斜め上方に延出する屋根骨７とを備えている。
支柱６は、左右の縦管８と、これらを連結する適数の横材９及び適数の筋違材１０とを備えている。
屋根骨７は、上下の斜管１１と、これらを連結する適数の縦管１２及び適数の筋違管１３とを備えている。
而して、主骨体２は、前後方向に所定の間隔を置いて適数だけ配列されて居り、前後方向に隣接する主骨体２間には、図略しているが、適数の連結体（筋違体や桁体）が着脱可能に設けられている。従って、テントフレーム１は、この連結体を包含している。
【００１５】
座体３は、主骨体２の下部に高さ調整可能に設けられたもので、この例では、スクリュベース（ジャッキベース）にしてあり、主骨体２の支柱６の下部に設けられた左右のものにしてあり、夫々平面略正方形で板状を呈する座板１４と、これに植設されて上部が支柱６の縦管８に着脱可能に挿入される螺子棒１５と、これに螺合されて支柱６の縦管８の下面に当合されるハンドルナット１６と、支柱６の縦管８に螺設されて螺子棒１５を抜止めする抜止めボルト１７とを備えている。
【００１６】
錘体４は、座体３の下部に設けられて接地面Ａに接地される所定の重量を備えたもので、この例では、適数の山留材１８に依り形成されて居り、主骨体２の支柱６の縦管８に呼応して左右に二つづつ設けられていると共に、接地面Ａの上に載置されている。
山留材１８は、鋼製で断面略Ｈ型を呈して居り、上下のフランジ１９とこれらの間を連結するウェブ２０と、両フランジ１９の長手方向に所定間隔毎に多数穿設された左右の貫孔２１とを備えている。
而して、二つの山留材１８は、長手方向が前後方向に向けられると共にフランジ１９が水平にされて上下に重ねられて居り、貫孔２１を利用してボルト・ナット等の締結具２２に依り連結されている。
【００１７】
錘体４を為す上位の山留材１８の上には、高さ調整手段となる座体３の座板１４が載置される。そして、座体３の座板１４は、挾持手段２３に依り錘体４に着脱可能に取付けられる。
挾持手段２３は、座体３の座板１４の上から覆われる挾持板２４と、錘体４の山留材１８の上部フランジ１９と挾持板２４とを挾持する左右の挾持具２５とを備えている。
挾持板２４は、左右方向に長尺な板状を呈し、中程の下面には座体３の座板１４の厚さより若干小さい深さの凹溝２６が形成されていると共に、前後一側（後側）には座体３の螺子棒１５を回避する為の切欠２７が形成されている。挾持具２５は、ブルマン（登録商標）と称されるクランプにしてあり、略Ｃ型を呈する本体と、これの両端部に対向して螺合された一対のボルトとを備えている。
【００１８】
索条５は、錘体４と主骨体２の上部とを連結するもので、この例では、ワイヤロープにしてあり、一端が錘体４を為す上位の山留材１８に設けたアイボルト等の止結具（図示せず）に止結されていると共に、他端が主骨体２の屋根骨７の基端部に設けたアイボルト等の止結具（図示せず）に止結されている。
【００１９】
次に、この様な構成に基づいてその作用を述解する。
錘体４が接地面Ａに接地されると共に、錘体４の上に座体３が挾持手段２３に依り取付けられて座体３の上に主骨体２が樹立される。錘体４と主骨体２の上部が索条５に依り連結される。
所定の重量を備えた錘体４を設けると共に、これと主骨体２の上部とを索条５に依り連結したので、テントフレーム１に強風等の大きな外力が作用しても、これが転倒したり、横滑りしたりする事がない。
【００２０】
座体３の抜止めボルト１７を緩めると共に、ハンドルナット１６を回動させた後に再び抜止めボルト１７を締め付けると、接地面Ａに対して主骨体２の高さを調整する事ができる。この為に、テントフレーム１の奥行方向（前後方向）に複数配置された主骨体２の高さを容易に揃える事ができる。
錘体４が座体３の下部に設けられていると共に、索条５が錘体４と主骨体２の上部との間に設けられて居り、錘体４と索条５が主骨体２の設置領域から大きくはみ出る事がないので、これらが邪魔になる事がない。その結果、テントフレーム１内を有効に活用する事ができる。
【００２１】
尚、主骨体２は、先の例では、支柱６と屋根骨７が着脱可能に連結されるものであったが、これに限らず、例えばこれらが一体的なものでも良い。
座体３は、先の例では、ジャッキベースを用いたが、これに限らず、例えば他の構造のものを用いても良い。
座体３は、先の例では、錘体４に挾持手段２３に依り着脱可能に取付けていたが、これに限らず、例えばボルト・ナット等の締結具に依り着脱可能に取付けても良い。
錘体４は、先の例では、既存の山留材１８を用いたが、これに限らず、例えば専用のものを用いても良い。
索条５は、先の例では、ワイヤロープであったが、これに限らず、例えばチェーン等でも良い。
索条５は、先の例では、錘体４と主骨体２の屋根骨７の基端部との間に介設したが、これに限らず、例えば錘体４と主骨体２の支柱６の上部との間に介設しても良い。
索条５は、先の例では、張力を調整する手段を備えていなかったが、これに限らず、例えばターンバックル等の張力調整手段を備えていても良い。張力調整手段は、例えば索条の途中に介設したり、索条と錘体との間に介設する事ができる。
【図面の簡単な説明】
【００２２】
【図１】本発明のテントフレームを示す一部を省略した正面図。
【図２】図１の要部を拡大した正面図。
【図３】図２の横断平面図。
【図４】挾持手段の挾持板を示す斜視図。
【符号の説明】
【００２３】
１…テントフレーム、２…主骨体、３…座体、４…錘体、５…索条、６…支柱、７…屋根骨、８…縦管、９…横材、１０…筋違材、１１…斜管、１２…縦管、１３…筋違管、１４…座板、１５…螺子棒、１６…ハンドルナット、１７…抜止めボルト、１８…山留材、１９…フランジ、２０…ウエブ、２１…貫孔、２２…締結具、２３…挾持手段、２４…挾持板、２５…挾持具、２６…凹溝、２７…切欠、Ａ…接地面。
【図１】
2009150082.tif 000003
【図２】
2009150082.tif 000004
【図３】
2009150082.tif 000005
【図４】
2009150082.tif 000006